(57)【要約】【課題】商品種別毎に個装ケースに並べて収納され、トレイ上に複数列に亘って展示して販売に供される複数種の箱形パッケージ商品（例えばたばこ）の販売数（販売実績）を簡易に求めることのできる販売什器を提供する。【解決手段】複数の個装ケースのそれぞれに、商品の取り出しを検出する取出検出スイッチと、商品種別情報を予め記憶し、前記取出検出スイッチにより商品の取り出しが検出される都度、商品種別情報を外部出力する回路ユニットとを設け、これらの個装ケースを載置するトレイには、予め定めた個装ケースの載置位置毎に前記個装ケースの回路ユニットに電気的に接続される複数の端子部を設ける。そして什器本体に、端子部に接続されて前記回路ユニットから外部出力される前記商品種別情報を取得する都度、該商品種別情報が示す種別の商品の販売履歴を記録するデータ収集装置を設ける。【選択図】図４
2012065782.tif 000002
【特許請求の範囲】
【請求項１】
商品種別毎に複数の箱形パッケージ商品を前後方向に並べて収納し、前端に位置付けられた箱形パッケージ商品から順に販売に供する複数の個装ケースと、所定数の個装ケースを横並びに配列して支持するトレイを有する什器本体と、を具備した商品販売什器であって、
前記個装ケースは、前端に位置付けられた箱形パッケージ商品の該個装ケースからの取り出しを検出する取出検出スイッチと、該個装ケースに収納される箱形パッケージ商品の商品種別情報を予め記憶すると共に、前記取出検出スイッチにより箱形パッケージ商品の取り出しが検出されたときに前記商品種別情報を外部出力する回路ユニットとを備え、
前記トレイは、該トレイの予め定められた前記個装ケースの載置位置にそれぞれ設けられて該トレイ上に載置された前記個装ケースの回路ユニットに電気的に接続される複数の端子部を備え、
前記什器本体は、前記回路ユニットから外部出力される前記商品種別情報を、前記端子部を介して取得する都度、該商品種別情報が示す種別の前記箱形パッケージ商品の販売履歴を記録するデータ収集装置を備えることを特徴とする商品販売什器。
【請求項２】
前記データ収集装置は、前記回路ユニットから外部出力される前記商品種別情報を、前記端子部を介して取得した際、この商品種別情報を取得した前記端子部を識別して前記トレイにおける前記個装ケースの載置位置を求め、前記商品種別情報と前記個装ケースの載置位置とに基づいて商品種別とその展示位置毎に前記箱形パッケージ商品の販売履歴を記録することを特徴とする請求項１に記載の商品販売什器。
【請求項３】
前記トレイは、多段に設けられるものである請求項１または２に記載の商品販売什器。
【請求項４】
前記個装ケースは、複数の箱形パッケージ商品を前後方向に並べて収納するケース本体と、このケース本体の前端を形成して前記箱形パッケージ商品の前端位置を規定する前壁部と、前記ケース本体の前後方向にスライド可能に設けられて該ケース本体に収納された箱形パッケージ商品を前記前壁部に向けて後方から押圧して移動させるプッシャとを具備し、
前記取出検出スイッチは、前記前壁部の内側面に設けられて前端に位置付けられた箱形パッケージ商品の前面に当接して付勢され、その付勢解除を該箱形パッケージ商品の前記ケース本体から上方への取り出しとして検出するものである請求項１に記載の商品販売什器。
【請求項５】
前記箱形パッケージ商品の商品種別情報は、前記個装ケース毎に該個装ケースに収納する箱形パッケージ商品の種別を決定した際にプリセットされる銘柄コードである請求項１に記載の商品販売什器。
【請求項６】
前記回路ユニットは、前記個装ケースが前記トレイ上の所定の位置に載置されたとき、前記端子部を介して前記トレイ側から電源供給されて作動するものである請求項１に記載の商品販売什器。
【請求項７】
前記データ収集装置は、前記複数の端子部のそれぞれに対応する通信ポートを備え、これらの通信ポートを巡回的にサーチして前記回路ユニットが外部出力する商品種別情報を取得すると共に、該商品種別情報を取得した通信ポート番号から前記個装ケースの載置位置を特定するものである請求項１または２に記載の商品販売什器。
【請求項８】
前記データ収集装置は、前記端子部を介する前記回路ユニットとの通信路の接続切れを判定して前記トレイからの前記個装ケースの取り外しを検出する取り外し検出手段を備えることを特徴とする請求項１または２に記載の商品販売什器。
【請求項９】
前記箱形のパッケージ商品は、たばこである請求項１〜８のいずれかに記載の商品販売什器。
【発明の詳細な説明】
【技術分野】
【０００１】
本発明は、横並びに配列された複数の個装ケースに、商品種別毎に前後方向に並べて収納して展示されて販売に供される複数の箱形パッケージ商品の販売数を管理する機能を備えた商品販売什器に関する。
【背景技術】
【０００２】
コンビニエンス・ストアやスーパー・マーケットでのたばこ（箱形パッケージ商品）の販売は、専ら、複数種のたばこを、複数列に亘ってその商品種別（銘柄）毎に前後方向に並べて展示（陳列）する商品販売什器を用いて行われる（例えば特許文献１を参照）。この種の商品販売什器は、一般的にはケースまたはトレイ上に複数列に亘って前後方向に並べられた商品（たばこ）を、列毎にその前端側に押し出すように構成される。そして商品販売什器に収納された商品（たばこ）は、その前端に位置付けられたものから順に前記ケースまたはトレイから取り出されて販売される。
【０００３】
尚、商品種別毎に複数の商品（たばこ）を前後方向に１列に並べて収容する複数の個装ケースを用い、これらの個装ケースをトレイ上に横並びに載置して商品（たばこ）の展示・販売を行う構造の商品販売什器も提唱されている。ちなみにたばこ用の商品販売什器にあっては、その商品種別（銘柄）が多いことから上記トレイを多段に設け、複数種の商品（たばこ）を多段・複数列に展示して販売に供する構成のものが多い。
【先行技術文献】
【特許文献】
【０００４】
【特許文献１】特開２００９-４５９号公報
【発明の概要】
【発明が解決しようとする課題】
【０００５】
ところで従来の商品販売什器は、専ら、上述したように複数種の商品（たばこ）を並べて展示して販売に供しているに過ぎない。この為、複数種の商品（たばこ）の販売実績をモニタする場合には、例えば販売代金を精算する際に、商品（たばこ）に付されたバーコード等の商品種別コードを読み取ってレジスタに入力される商品情報とその販売個数を、その商品種別毎に集計することが必要であり、非常に煩わしい。
【０００６】
一方、たばこの自動販売機においては、その商品展示部に横並びに多段に展示される商品見本の展示位置によって商品アピール効果が左右され、商品種別毎の販売実績が変化することが知られている。これ故、販売の主力となる商品（たばこ）の商品見本を、アピール効果の高い展示位置に割り付ける等の工夫がなされている。しかしながら商品販売什器を用いている場合には、上述したように商品種別毎の販売数（販売実績）を集計しているだけなので、商品販売什器における商品展示位置とその販売実績との因果関係を容易に分析することができないと言う不具合がある。
【０００７】
本発明はこのような事情を考慮してなされたもので、その目的は、商品種別毎に前後方向に並べて複数列に亘って展示して販売に供される複数種の箱形パッケージ商品（例えばたばこ）の販売数（販売実績）を簡易に求めることができ、しかも商品種別毎の販売実績とその展示位置との因果関係の分析を可能とする集計機能を備えた商品販売什器を提供することにある。
【課題を解決するための手段】
【０００８】
上述した目的を達成するべく本発明に係る商品販売什器は、商品種別毎に複数の箱形パッケージ商品（例えばたばこ）を前後方向に並べて収納し、前端に位置付けられた箱形パッケージ商品から順に販売に供する複数の個装ケースと、所定数の個装ケースを横並びに配列して支持するトレイを有する什器本体と、を具備したものであって、
前記個装ケースは、前端に位置付けられた箱形パッケージ商品の該個装ケースからの取り出しを検出する取出検出スイッチと、該個装ケースに収納される箱形パッケージ商品の商品種別情報を予め記憶すると共に、前記取出検出スイッチにより箱形パッケージ商品の取り出しが検出されたときに前記商品種別情報を外部出力する回路ユニットとを備え、
前記トレイは、該トレイの予め定められた前記個装ケースの載置位置にそれぞれ設けられて該トレイ上に載置された前記個装ケースの回路ユニットに電気的に接続される複数の端子部を備え、
前記什器本体は、前記端子部を介して前記回路ユニットから外部出力される前記商品種別情報を取得する都度、該商品種別情報が示す種別の前記箱形パッケージ商品の販売履歴を記録するデータ収集装置を備えることを特徴としている。
【０００９】
尚、前記データ収集装置を、前記端子部を介して前記回路ユニットから外部出力される前記商品種別情報を取得した際、この商品種別情報を取得した前記端子部を識別して前記トレイにおける前記個装ケースの載置位置を求め、前記商品種別情報と前記個装ケースの載置位置とに基づいて商品種別とその展示位置毎に前記箱形パッケージ商品の販売履歴を記録するように構成することも可能である。尚、前記トレイは、好ましくは多段に設けられる。
【００１０】
ちなみに前記個装ケースは、例えば複数の箱形パッケージ商品を前後方向に並べて収納するケース本体と、このケース本体の前端を形成して前記箱形パッケージ商品の前端位置を規定する前壁部と、前記ケース本体の前後方向にスライド可能に設けられて該ケース本体に収納された箱形パッケージ商品を前記前壁部に向けて後方から押圧して移動させるプッシャとを具備したものからなる。そして前記取出検出スイッチは、前記前壁部の内側面に設けられて、前記ケース本体の前端に位置付けられた箱形パッケージ商品の前面に当接して付勢され、その付勢解除を該箱形パッケージ商品の前記ケース本体から上方への取り出しとして検出するものからなる。
【００１１】
尚、前記箱形パッケージ商品の商品種別情報は、前記個装ケース毎に該個装ケースに収納する箱形パッケージ商品の種別を決定した際にプリセットされる銘柄コードからなる。また前記回路ユニットは、好ましくは前記個装ケースが前記トレイ上の所定の位置に載置されたとき、前記端子部を介して前記トレイ側から電源供給されて作動するように構成される。
【００１２】
尚、前記データ収集装置は、例えば前記複数の端子部のそれぞれに対応する通信ポートを備え、これらの通信ポートを巡回的にサーチして前記回路ユニットが外部出力する商品種別情報を取得すると共に、該商品種別情報を取得した通信ポート番号から前記個装ケースの載置位置を特定するように構成される。また前記データ収集装置は、前記端子部を介する前記回路ユニットとの通信路の接続切れを判定して前記トレイからの前記個装ケースの取り外しを検出する取り外し検出手段を備えることが好ましい。
【発明の効果】
【００１３】
本発明に係る商品販売什器によれば、個装ケースに組み込まれた取出検出スイッチにより該個装ケースからの箱形パッケージ商品の取り出しが検出される都度、該個装ケースに設けられた回路ユニットから、予め設定された箱形パッケージ商品の商品種別情報（銘柄コード）が、前記個装ケースが載置されるトレイを備えた什器本体に設けられたデータ収集装置に向けて外部出力される。そしてデータ収集装置においては、基本的には前記個装ケース側から商品種別情報が伝達される都度、当該商品種別情報が示す種別を販売履歴として記録し、また必要に応じて該当する商品の販売個数をインクリメント（＋１）してその累積値を更新するので、商品種別毎の販売個数を容易に求めることが可能となる。特にトレイ上における個装ケースの載置位置が変更されても、商品種別毎にその販売個数を正確に累積することが可能となる。
【００１４】
この際、データ収集装置においては、例えば商品種別情報を取得した端子部が接続された通信ポートの番号から前記トレイにおける前記商品種別情報を発した個装ケースの載置位置（商品展示位置）を求め、これらの情報を販売履歴として記録すると共に、商品種別とその展示位置毎に前記箱形パッケージ商品の販売個数を累積する。従って商品種別毎に、箱形のパッケージ商品（例えばたばこ）が、どの展示位置において、どの程度販売されたかを容易に分析し、その販売傾向を把握することが可能となる。
【００１５】
また上述した如く商品種別情報と、該商品種別情報を発した個装ケースの載置位置（商品展示位置）を求めるので、トレイに対する複数の個装ケースの載置位置が不本意に入れ替わっても、或いは意図的に変更されても、商品種別毎にそれぞれの商品展示位置における販売実績（販売個数）を正確に求めることができる。従って商品展示位置の違いによる商品の売れ具合や商品アピール効果等を容易に分析することが可能となる。
【図面の簡単な説明】
【００１６】
【図１】本発明の一実施形態に係る商品販売什器の概略構成を示す外観斜視図。
【図２】図１に示す商品販売什器におけるトレイと個装ケースの概略構成を示す分解斜視図。
【図３】個装ケースの断面構造と、該個装ケースに収納される箱形パッケージ商品（たばこ）との関係を示す図。
【図４】本発明の一実施形態に係る商品販売什器における販売個数を管理する為の主要部の概略構成を示す図。
【図５】個装ケースにおける箱形パッケージ商品（たばこ）の取り出し検出処理を示す図。
【図６】データ収集装置における箱形パッケージ商品（たばこ）の販売個数の集計処理の一例を示す図。
【図７】データ収集装置における個装ケースの取り外し検出処理の例を示す図。
【図８】データ収集装置において、商品展示位置と商品種別とに応じて集計される箱形パッケージ商品（たばこ）の販売個数とその販売履歴の管理形態の一例を示す図。
【発明を実施するための形態】
【００１７】
以下、図面を参照して本発明の一実施形態に係る商品販売什器について、箱形パッケージ商品であるたばこの販売用の什器を例に説明する。
図１は本発明の実施形態に係るたばこ販売用の商品販売什器（以下、什器と略す）の概略構成を示す外観斜視図である。この什器は、商品種別毎に複数のたばこ（商品）Ｓを前後方向に１列に並べて収納し、その前端に位置付けられたたばこ（商品）Ｓから順に販売に供する複数の個装ケース１０と、所定数の個装ケース１０を横並びに配列して支持するトレイ２０と、このトレイ２０の両端部をそれぞれ支持して該トレイ２０と共に什器本体を構成する左右一対の側板１Ｌ,１Ｒとを備えて構成される。ちなみに図１に示す什器は、２５個の個装ケース１０を５個ずつ横並びに配列して支持する５段のトレイ２０を備えたものである。
【００１８】
これらの５段のトレイ２０は、平行に立設された前記一対の側板１Ｌ,１Ｒ間に、上下方向に所定の間隔を隔てて平行に設けられる。特にこれらのトレイ２０は、例えば５°程度の傾斜角度で手前側に傾斜させて設けられており、各トレイ２０上に載置される個装ケース１０の前端部が、いわゆる階段状に並ぶように工夫されている。この結果、各段の個装ケース１０の前端部の上方が、その上段のトレイ２０および個装ケース１０によって覆い被されることがなく開放され、各個装ケース１０にそれぞれ収納されたたばこ（商品）Ｓを、その前端部から上方に向けて容易に取り出し（抜き出し）可能となっている。
【００１９】
図２は上述した個装ケース１０とトレイ２０との関係、および個装ケース１０の概略的な構造を示す分解斜視図であり、図３は個装ケース１０の断面構造を示している。
個装ケース１０は、概略的には、例えば２０個程度のたばこ（商品）Ｓを縦並びにして前後方向に１列に収納する縦長の箱形樋状のケース本体１１と、このケース本体１１の底部に穿たれた溝１１ａに嵌め込まれて該溝１１ａに沿って移動し、ケース本体１１に収納されたたばこ（商品）Ｓを該ケース１０の前端側に向けて押し出すプッシャ１２を備える。
【００２０】
上記プッシャ１２は、その一端部がコイルバネ１３により巻回付勢されて前記ケース本体１１の底部に組み込まれた長尺の牽引片１４の他端部に連結されたものであって、該牽引片１４の巻回力を受けて前記ケース本体１１に収容されたたばこ（商品）Ｓを該ケース本体１１の前面側（ケース１０の前端側）に向けて押し出す作用を呈する。尚、ケース本体１１の底面前端側は、図３に示すようにたばこ（商品）Ｓの厚み方向の１個分の幅に亘って所定の高さだけ、例えば５〜１０ｍｍ程度高く盛り上げた傾斜部１１ｂとして形成されている。ケース本体１１に収納され、前記プッシャ１２により押し出されて該ケース本体１１の前端に位置付けられたたばこ（商品）Ｓは、上記傾斜部１１ｂに乗り上げることにより該傾斜部１１ｂの高さの分だけ上方に突出する。これによりケース本体１１に収納されて該ケース本体１１の前端に位置付けられたたばこ（商品）Ｓの、個装ケース１０からの取り出しの容易化が図られている。
【００２１】
一方、前記トレイ２０は、図２に示すように５個の個装ケース１０を横並びに載置する平板状のトレイ本体２１と、このトレイ本体２１の上面に平行に突出させて設けられて個装ケース１０の載置位置を５列に亘って規制するガイド２２を備える。またトレイ本体２１の後端部には、該トレイ本体２１上に載置された個装ケース１０の後端位置を規制する後壁部２３が設けられ、更にトレイ本体２１の前端部には、トレイ２０の前端縁部を形成する樋状の連結部２４が設けられている。尚、樋状の連結部２４の内部には、後述する取出検出スイッチ３１および回路ユニット３２とデータ処理装置４０とを電気的に接続して通信路を形成する信号線（図示せず）等が布設される。
【００２２】
また前記連結部２４の下部にはその前面側に突出して複数の弾性係合片（フック）２５が設けられている。これらの弾性係合片２５は、前述したガイド２２に沿ってトレイ２０（トレイ本体２１）上に位置決めされて載置される複数の個装ケース１０の前面下端部にそれぞれ係合して該個装ケース１０を係止するものである。この弾性係合片２５を下方に撓ませて前記個装ケース１０の前面下端部との係合を解除することにより、トレイ２０（トレイ本体２１）上からの個装ケース１０の引き抜きが可能となる。
【００２３】
基本的には上述した如く構成される個装ケース１０およびトレイ２０を備えた什器において本発明が特徴とするところは、前記トレイ２０の前端縁部をなす前記連結部２４の前面に、後述するように前記個装ケース１０に設けられる接続コネクタがそれぞれ電気的に接続される複数の接続端子２６が設けられている点にある。また同時に前記個装ケース１０のそれぞれに、該個装ケース１０からのたばこ（商品）Ｓの取り出しを検出する取出検出スイッチ３１を設けると共に、その検出情報を外部出力する回路ユニット３２を設けた点にある。ちなみに回路ユニット３２から外部出力される前記たばこ（商品）Ｓの取り出し検出情報は、前記接続端子２６を介して什器本体側に設けられたデータ処理装置４０にて取り込まれる。
【００２４】
個装ケース１０についてより具体的に説明すると、前述した前記ケース本体１１の前端部をなし、該ケース本体１１に収納されたたばこ（商品）Ｓの前端位置を規定する前壁部１１ｃは、該ケース本体１１の下面側に突出して前述したトレイ２０の前端縁部をなす連結部２４に係合する形状を有している。トレイ２０上に載置される個装ケース１０は、前記ケース本体１１の後端部に、後方に突出させて設けた係合突起１１ｄ（図３を参照）を前記トレイ２０の後壁部２３に設けた係合孔２３ａに係合させ、更に上記前壁部１１ｃの下端部背面をトレイ２０の連結部２４の前面に係合させることで位置決めされる。この状態において前記前壁部１１ｃの下縁端が前記弾性制止片（フック）２５の爪部に係合し、これによってトレイ２０上に前記個装ケース１０が係止される。
【００２５】
一方、上述した如くトレイ２０上に装着される個装ケース１０の前記前壁部１１ｃの前面側には、回路基板３０が装着されるようになっている。この回路基板３０は、前述した取出検出スイッチ３１および回路ユニット３２に加えて、前述した接続端子２６に電気的に接続される接続コネクタ３３を搭載したものである。この回路基板３０は、前述した前壁部１１ｃの前面を覆って設けられる前面カバー１５の裏面に形成された凹部に収容されて、ケース本体１１に一体に組み付けられる。
【００２６】
この際、前記取出検出スイッチ３１は、前記前壁部１１ｃに設けられた孔部を通してその可動接触子をケース本体１１の内側に突出させて設けられ、上記可動接触子をケース本体１１に収納されたたばこ（商品）Ｓの前面部に当接して押圧付勢されるようになっている。この取出検出スイッチ３１の可動接触子は、前記ケース本体１１の前端に位置付けられたたばこ（商品）Ｓを上方に引き抜いた（取り出した）際、次のたばこ（商品）Ｓがプッシャ１２により前端位置まで押し出されるまでその押圧付勢が解除される。取出検出スイッチ３１は、この可動接触子の一時的な押圧付勢の解除を利用して、たばこ（商品）Ｓの取り出しを検出する役割を担っている。
【００２７】
また前記回路基板３０に搭載された前記接続コネクタ３３は、前記前壁部１１ｃの下端側に設けられた開口部を介して該前壁部１１ｃの裏面側に露出させて設けられている。この接続コネクタ３３は、前記個装ケース１０をトレイ２０上に載置したとき、前記トレイ２０の前端縁部に設けられた接続端子２６に電気的に接続される。ちなみに前記接続コネクタ３３は、什器本体側に設けられた電源部５０から回路基板３０に電源を供給する役割を担うと共に、後述するデータ処理装置４０と回路基板３０との間に通信路を形成する役割を担う。
尚、図２および図３において１６は、商品価格等を記載したラベル１７を保持して前記前面カバー１５の前面に装着されるラベルホルダである。このラベルホルダ１６は、例えば合成樹脂製の透明体からなる。
【００２８】
ここで前記回路基板３０に搭載された回路ユニット３２について説明する。この回路ユニット３２は、例えば図４に示すように、前述した取出検出スイッチ３１のオン・オフを検知する取出検出部３４と、個装ケース１０に収納されるたばこ（商品）Ｓの商品種別情報、具体的には銘柄コードＣを予め記憶するメモリ３５と、前記取出検出スイッチ３１によりたばこＳの取り出しが検出されたときに前記メモリ３５に記憶された銘柄コードＣを外部出力する通信部３６とからなる。尚、これらの取出検出部３４、メモリ３５、および通信部３６については、いわゆる１チップ・マイコンを用いて実現することも可能である。
【００２９】
そして前記回路ユニット３２は、トレイ２０上への個装ユニット１０の装着に伴って前記接続コネクタ３３を介してトレイ２０側の接続端子２６に電気的に接続され、前述した電源部５０からの電源供給を受けて作動する。また同時に前記回路ユニット３２は、前記接続コネクタ３３から接続端子２６を介してデータ処理装置４０の通信ポートに接続され、これによって前記通信部３６とデータ処理装置４０との間に通信路が形成される。この通信路を介する前記回路ユニット３２とデータ処理装置４０との通信は、例えばシリアル通信によって行われる。
【００３０】
ちなみにデータ処理装置４０における通信部４１は、基本的には複数の接続端子２６に共通に接続される１つの通信ポートを備え、前記各回路ユニット３２からそれぞれ外部出力される銘柄コードを受信するものからなる。しかしどの回路ユニット３２から銘柄コードが出力されたかをモニタする場合には、前述した複数の接続端子２６のそれぞれに対応する複数の通信ポートを備えることが望ましい。この場合、例えばアドレス管理部４２の制御の下で所定の周期で複数の通信ポートを巡回的にサーチし、これらの通信ポートを介して前記接続端子２６との間の通信路を、ひいては該接続端子２６に接続された接続コネクタ３３を介して前記回路ユニット３２の通信部３６との間の通信路を巡回的に形成するようにすれば良い。
【００３１】
尚、前述した回路ユニット３２のメモリ３５への銘柄コードの書き込みは、複数の個装ケース１０にたばこ（商品）Ｓを銘柄毎に分類して収納した際、図５に示すように個装ケース１０に対する初期設定処理として、その銘柄コードをそれぞれプリセットすることによって行われる＜ステップＳ１＞。例えば初期設定用のデータ入力端末（図示せず）に個々の個装ケース１０を接続し、個装ケース１０に収容したたばこ（商品）Ｓの銘柄コードを上記データ入力端末から入力するようにすれば良い。
【００３２】
或いはたばこ（商品）Ｓの販売に先立って、例えば銘柄別にたばこ（商品）Ｓを収納した複数の個装ケース１０をトレイ２０上に装着し、先ずこれらの個装ケース１０の前記トレイ２０上における装着位置Ａに対応付けて前記個装ケース１０にそれぞれに収納したたばこ（商品）Ｓの銘柄コードＣを前記データ処理装置４０の銘柄管理部４３に順次入力する。そして前記アドレス管理部４２の制御の下で前記トレイ２０上における個装ケース１０の載置位置に対応する前記接続端子２６（通信ポート）を順次指定しながら前記銘柄管理部４３を参照し、前記トレイ２０上における各個装ケース１０の装着位置Ａに対応付けられた銘柄コードＣを求め、これを該当する個装ケース１０のメモリ３５に順次登録するようにしても良い。
【００３３】
以上のようにして各個装ケース１０のメモリ３５に、その個装ケース１０に収納したたばこ（商品）Ｓの銘柄コードＣを登録した後、本什器によるたばこ（商品）Ｓの展示・販売が行われる。そして個装ケース１０からたばこ（商品）Ｓが引き抜かれたとき（取り出されたとき）、前記取出検出スイッチ３１の押圧付勢が一時的に解除されるので、図５に示すように前記取出検出部３４は上記取出検出スイッチ３１のオン・オフ変化から上記たばこ（商品）Ｓの取り出しを検出する＜ステップＳ２＞。そして前述した通信部３６は、前記取出検出部３４によりトリガされて前述した如く予め前記メモリ３５に登録された銘柄コードを読み出し、これを外部出力する＜ステップＳ３＞。
【００３４】
このようにして個装ケース１０の通信部３６から外部出力された銘柄コードＣは、前述した端子部２６を介してデータ処理装置４０の通信部４１に与えられて該通信部４１に取り込まれる。尚、通信部４１が複数の通信ポートを備え、前述した如くアドレス管理部４２による管理の下で複数の通信ポートを巡回的にサーチしている場合には、前記通信部４１は前記銘柄コードが送られた通信ポートをアクセスしたとき、その銘柄コードＣを取得する。このとき前記通信部４１は銘柄コードＣの取得と同時に、前記アドレス管理部４２から該銘柄コードＣを取得した通信ポートの番号を求める。そしてこのポート番号を、前記銘柄コードＣを外部出力した個装ケース１０の前記トレイ２０上における装着位置Ａとして検出する。
【００３５】
データ処理装置４０における集計部４４は、基本的には上述したように銘柄コードＣを取得する都度、該銘柄コードＣで特定される種別のたばこ（商品）Ｓを、その販売履歴としてメモリ４５に記録する。また上記銘柄コードＣで特定される種別のたばこ（商品）Ｓの販売個数ｎをインクリメント（＋１）する。この際、前記銘柄コードＣを外部出力した個装ケース１０の前記トレイ２０上における装着位置Ａを求めている場合には、銘柄コードＣと装着位置Ａとが求められる都度、当該銘柄コードＣと装着位置Ａとによって特定される販売条件毎にその販売履歴を記憶し、その販売個数ｎをインクリメント（＋１）する。
【００３６】
即ち、集計部４４は、基本的には商品コードＣにより特定される商品種別毎に、そのたばこ（商品）Ｓの販売履歴をメモリ４５に順次記録する。また集計部４４は、メモリ４５に記録された販売履歴に基づいて商品種別毎にその販売個数を累計処理し、或いは商品コードＣにより特定される商品種別と、個装ケース２０の装着位置Ａにより特定されるたばこ（商品）Ｓのトレイ２０上における展示位置毎に当該たばこ（商品）Ｓの販売個数を累計処理する。このようにして累計処理された販売個数の情報は、銘柄コードＣ毎に分類されて、或いは銘柄コードＣと装着位置Ａとによって特定される販売条件毎に分類されて前述した販売履歴と共に前記メモリ４５に記憶される。そしてメモリ４５に記録された情報は、適宜、Ｉ／Ｏインターフェース４６を介する外部機器（図示せず）からの読み出しに供せられる。
【００３７】
より具体的にはデータ処理装置４０においては、図６に示すように個装ケース１０から出力された銘柄コードＣを受信したとき＜ステップＳ１１＞、当該銘柄コードＣを受信した通信ポート（個装ケース２０の装着位置Ａ）を求める＜ステップＳ１２＞。そしてその通信ポートが、前述した銘柄管理部４３に登録されている通信ポート（個装ケース２０の装着位置Ａ）であるか否かを判定する＜ステップＳ１３＞。
【００３８】
そして受信した銘柄コードＣと通信ポート（装着位置）Ａとの関係が前記銘柄管理部４３に登録されている場合には、当該銘柄コードＣと装着位置Ａとによって特定される管理パラメータをインクリメントし、上記装着位置Ａでの上記銘柄コードＣで特定されるたばこ（商品）Ｓの販売個数を累計する＜ステップＳ１４＞。この際、商品の取り出しが検出された時刻情報が、その銘柄コードＣと装着位置Ａとにより特定される前記メモリ４５上での管理項目毎に販売履歴として記録される＜ステップＳ１７＞。
【００３９】
しかし受信した銘柄コードＣと通信ポート（装着位置）Ａとの関係が前記銘柄管理部４３に登録されていない場合には、これを個装ケース１０の装着位置が変更されたと判定し、当該銘柄コードＣと新たな装着位置Ａとによって特定される管理パラメータを設定し＜ステップＳ１５＞、この新たなパラメータをインクリメントする＜ステップＳ１６＞。この際、その銘柄コードＣと装着位置Ａとにより特定される管理項目が新たに設定され、この管理項目に前記商品の取り出しが検出された時刻情報がその販売履歴として記録される＜ステップＳ１７＞。以上の処理を、個装ケース１０側から銘柄コードＣが通知される都度、繰り返し実行する。
【００４０】
一方、データ収集装置４０に設けられた着脱検出部４７は、前述した通信部４１がその通信ポートを介して個装ケース１０の回路ユニット３２との間で情報通信を行い得るか否かを監視する機能を備える。そして着脱検出部４７は、前記アドレス管理部４２の管理の下で複数の通信ポートを順にサーチしながら、その通信ポートを介して個装ケース１０の回路ユニット３２との間で通信が可能か否かを調べる＜ステップＳ２１＞。そして回路ユニット３２との間での通信が途絶えていることが検出されたとき＜ステップＳ２２＞、その通信ポートに接続された個装ユニット１０が、トレイ２０から取り外されたとして検出する。同時にそのときの通信ポート番号からトレイ２０上のどの位置の個装ケース１０が取り外されたかを検出するものとなっている。
【００４１】
この個装ケース１０の取り外し検出情報は前述した集計部４４に与えられて、例えばその取り外し検出時刻情報がタイムスタンプとして求められ＜ステップＳ２３＞、前述した銘柄コードＣと装着位置Ａとによって特定される販売条件に応じて前記メモリ４５に登録される＜ステップＳ３４＞。このタイムスタンプで示される前記個装ケース１０の取り外し検出情報は、例えば個装ケース１０に対する商品補充回数のモニタとして利用される。
【００４２】
かくして上述した如く構成された本発明に係る商品販売什器によれば、データ収集装置４０のメモリ４５には、例えば図８に示すようにトレイ２０における個装ケース１０の載置位置（商品展示位置）Ａ毎に、個装ケース１０に収納されて展示・販売に供されるたばこ（商品）Ｓの銘柄コードＣが登録される。そして上記個装ケース１０の載置位置（商品展示位置）Ａと銘柄コードＣとにより特定される販売条件毎に、その販売履歴が記録され、また当該銘柄コードＣで示されるたばこ（商品）Ｓの販売個数がそれぞれ記憶される。
【００４３】
そしてトレイ２０から個装ケース１０が取り外されて商品補充が行われた場合には、前記個装ケース１０の載置位置（商品展示位置）Ａと銘柄コードＣとにより特定される販売条件毎にその取り外し時刻を示すタイムスタンプ情報がメモリ４５に登録される。この際、複数個の個装ケース１０がトレイ２０から取り外されて、不本意に、或いは意図的に元の載置位置（商品展示位置）とは異なる位置に装着された場合には、前記個装ケース１０の載置位置（商品展示位置）Ａと銘柄コードＣとの関係が変化することから、前記メモリ４５には新たに載置位置（商品展示位置）Ａと銘柄コードＣとにより特定される販売条件が設定される。そしてその新たな販売条件に従って前述した販売個数の累計処理が実行される。
【００４４】
図８に示す例では、１段４番目の載置位置に装着されていた個装ケース１０が、途中から３段４番目の載置位置に装着され、この３段４番目の装着位置に装着されていた個装ケース１０が新たに３段３番目に装着され、そして３段３番目に装着されていた個装ケース１０が新たに１段４番目の載置位置に装着された状態を示している。従ってこの場合には、個装ケース１０の装着位置が変更された１段４番目、３段３番目、および３段４番目の各装着位置に対応して新たな銘柄コード対応付けられて、その位置での販売履歴の記録と、その販売個数が累積されることになる。
【００４５】
かくして上述した如く構成されたたばこ用の商品販売什器によれば、トレイ２０上に並べて載置される複数の個装ケース１０から、たばこ（商品）Ｓが取り出される都度、外部出力される銘柄コードＣをデータ処理装置４０にて取得し、データ処理装置４０においては銘柄コードＣ毎にその販売履歴を記録すると共に、その販売個数を累計するので、トレイ２０上における個装ケース１０の載置位置（商品の展示位置）が変更されても、その銘柄毎の販売個数を正確に求めることができる。
【００４６】
また前述したように銘柄コードＣを取得した接続端子２６の位置から、その銘柄コードＣを外部出力した個装ケース１０のトレイ２０上における載置位置（商品の展示位置）Ａを求め、その載置位置Ａと銘柄コードＣとにより定まる販売条件毎に当該銘柄コードＣにより特定されるたばこ（商品）Ｓの販売履歴を記録し、その販売個数を求めるようにすることで、トレイ２０上における展示位置の違いによる販売個数の変化を解析することが可能となる。従って上述した如く収集したたばこ（商品）Ｓの販売実績を、その販売戦略に有効に活用することが可能となる。
【００４７】
尚、本発明は上述した実施形態に限定されるものではない。ここでは什器本体の前面側から個装ケース１０を装脱する、いわゆるバックヤード設置型の什器を例に説明したが、販売カウンタ等に設置され、什器本体の裏面側から個装ケース１０を装脱する、いわゆるカウンタ用の什器にも同様に適用することができる。また什器を構成するトレイ２０の段数、およびトレイ２０上に載置する個装ケース１０の数については、その仕様に応じて設定すれば良いことは言うまでもない。
【００４８】
またここではたばこ販売用の什器を例に説明したが、他の箱形パッケージ商品用の販売什器にも同様に適用可能なことは言うまでもない。要は、本発明はその要旨を逸脱しない範囲で種々変形して実施することができる。
【符号の説明】
【００４９】
１Ｌ,１Ｒ  側板（什器本体）
１０  個装ケース
１１  ケース本体
１２  プッシャ
２０  トレイ（什器本体）
２１  トレイ本体
２６  接続端子
３０  回路基板
３１  取出検出スイッチ
３２  回路ユニット
３３  接続コネクタ
３４  取出検出部
３５  メモリ
３６  通信部
４０  データ処理装置
４１  通信部
４２  アドレス管理部
４３  銘柄管理部
４４  集計部
４５  メモリ
５０  電源部
【図１】
2012065782.tif 000003
【図２】
2012065782.tif 000004
【図３】
2012065782.tif 000005
【図４】
2012065782.tif 000006
【図５】
2012065782.tif 000007
【図６】
2012065782.tif 000008
【図７】
2012065782.tif 000009
【図８】
2012065782.tif 000010